(57)【要約】      （修正有）【課題】アクション能力を高く保持しながらフッキング性能を高めた金属製ルアーを提供する。【解決手段】幅広で肉厚にすることで比重を大きくしたリップ部６を有する略楕円形状のルアー本体１であって、リップ部６の上下方に、アイ５ａ、アイ５ｂが配置されているルアー。また、ルアー本体１とフックＦの連結にヨレを軽減する為の接続金具であるスイベル９が配置されているルアー。【選択図】図５
2016150004.tif 000002
【特許請求の範囲】
【請求項１】
凸面（２）側に弧線状に隆起した略楕円形のルアー本体（１）であって、幅広で肉厚に成形されており全体に対して重心が偏倚しているリップ部（６）を有して、そのリップ部（６）のそれぞれ上下面にアクションが同一回転軸上になるようにアイ（５ａ）と（５ｂ）が配置されていることを特徴とするルアー。
【請求項２】
ルアー本体（１）とフック（Ｆ）の連結にヨレを軽減する為の接続金具であるスイベル（９）を配置した請求項１のルアー。
【発明の詳細な説明】
【技術分野】
【０００１】  本発明は、擬似餌として使用するルアーフィッシング用の金属製のルアーに関するものである。
【背景技術】
【０００２】  ルアーフィッシングにおいて、擬似餌として用いるルアーは、ロッドの反発力を利用して水面に投じ、リールを使いラインを巻き取ることで、水流の抵抗を利用して、例えば、左右に動作的な動きを与えて、魚を誘うものである。【０００３】  金属製のルアーで代表的なスプーンと呼ばれるルアーは、食器であるスプーンのカップ形状と同形状であり、ボディー本体が長手方向および幅方向が弧状に湾曲しており、この湾曲した凹部が水流の抵抗を受けることで遊動することで知られている。形状がシンプルで製造コストが低く、金属製であるがため、小さくとも重量があり、良く飛び、良く沈むなどのメリットを持ち合わせている。【０００４】  しかし、これら一般的なスプーンと呼ばれる金属製ルアーは、単にルアー本体にスプーン状の窪みと反りを設けたものであり、ルアーを引く速度が遅かったり、ルアー本体に当る水流が弱かったりする場合には、揺動運動が疎かになり、誘魚効果を得にくいという問題があった。【０００５】  そこで、ルアー本体の先端部にラインを取り付けるための孔を設けず、ルアー本体の先端部の上部にラインを取り付けるためのライン接合部を設けたルアー（特許文献１）や、背部又は腹部側に重心を偏倚させたルアー（特許文献２）がある。これらのルアーは、ライン結合部より先端の部分が水の抵抗を受けるために大きな揺動運動を繰り返すことが可能である。
【先行技術文献】
【特許文献】
【０００６】
【特許文献１】登録実用新案第３０１７６９４号公報
【特許文献２】特開１９９８−１０８５９０号公報
【発明の概要】
【発明が解決しようとする課題】
【０００７】  しかしながら、前記ルアーにおいては、実際の小魚の動きに極めて似せることができ、対象魚に対して高いアピール効果を発揮することが可能ではあるが、大きな揺動運動の為に、後端に設置されたフックが大きく左右に暴れ、フッキング率が悪くなるという問題が生じる。【０００８】  そこで、本発明は、アクション能力を高めながらフッキング率を維持したことを特徴とする金属製ルアーを提供することを目的とする。
【課題を解決するための手段】
【０００９】  ルアー本体（１）は、水流に対して抵抗を受けるように湾曲しており、凸面（２）側にスプリットリング（４ａ）を介してライン（Ｌ）を繋ぐアイ（５ａ）を有し、反対の凹面（３）にスプリットリング（４ｂ）を介してフック（Ｆ）を繋ぐアイ（５ｂ）を有することを特徴とする。【００１０】  ルアー本体（１）の形状は、リップ部（６）側が幅広でテール部（７）側が幅狭の略楕円形であることを特徴とする。【００１１】  リップ部（６）は幅広で肉厚に成型されており、テール部（７）は幅狭で肉薄に成型されていることを特徴とする。【００１２】  ルアー本体（１）のリップ部（６）上におよそ垂直に起立するアイ（５ａ）は、断面弧状に膨出した屈曲部（８）よりわずかに進行方向へ設置されていることを特徴とする。【００１３】ルアー本体の凹面（３）に設置されるアイ（５ｂ）は、ルアー本体（１）に対してアイ（５ａ）の上下反対方向へ設置されていることを特徴とする。
【発明の効果】
【００１４】  本発明のルアーは、ライン（Ｌ）をリールで巻くことでリップ部（６）に当った水流は左右に逃げるようになり、アイ（５ａ）を中心軸として、テール部（７）を左右に振るようなウォブリングアクションを見せます。この場合、リップ部（６）は、幅広で肉厚に成型されている為に、比重が大きく、重力により常に下方に留まる作用をして、ルアー本体（１）が回転するギリギリで復元され、バランスを崩すことなく、左右に大きな揺動を起こします。【００１５】  また、アイ（５ａ）を回転軸の中心としてアクションを起こしますので、その回転軸上の後方に設置されるフック（Ｆ）は大きく暴れることなく、ルアーを咥えようとした魚を確実にフッキングさせます。【００１６】  このように、最大限のウォブリングアクションを実現しながら、高いフッキング率を実現させます。
【図面の簡単な説明】
【００１７】
【図１】本発明の斜視図
【図２】本発明の側面図
【図３】本発明の平面図
【図４】本発明の使用図
【図５】本発明にスイベルを設置した側面図
【発明を実施するための形態】
【００１８】  以下、本発明の実施の形態を説明する。
（イ）図１に示すように、ルアー本体（１）は、長手方向の前方を幅広として、後方を幅狭とした略楕円形状であることを特徴とする。
（ロ）ルアー本体（１）は、長手方向の前方を幅広で肉厚として、後方を幅狭で肉薄とすることで、ルアー本体（１）において、リップ部（６）の重量が重くなることで、全体の重心がリップ部（６）側に偏倚していることを特徴とする。
（ハ）ルアー本体（１）の凸面（２）側を弧線状に隆起させ、水流に対して抵抗を受けるリップ部（６）を形成していることを特徴とする。
（ニ）ルアー本体（１）は、隆起した凸面（２）側にスプリットリング（４ａ）を介してライン（Ｌ）を繋ぐアイ（５ａ）を有し、反対の凹面（３）にスプリットリング（４ｂ）を介してフック（Ｆ）を繋ぐアイ（５ｂ）を有することを特徴とする。
（ホ）ルアー本体（１）のリップ部（６）上におよそ垂直に起立するアイ（５ａ）は、弧線状に隆起した屈曲部（８）よりわずかに進行方向側に設置されていることを特徴とする。
（ヘ）ルアー本体（１）の凹面（３）に設置されるアイ（５ｂ）は、ルアー本体（１）に対してアイ（５ａ）の上下反対方向へ設置されていることを特徴とする。
（ト）アイ（５ａ）とアイ（５ｂ）は、ルアー本体（１）のアクションの同一回転軸上に前後に配置される。
本発明は以上のような構造である。
【００１９】  本発明を使用する場合は、スプリットリング（４ａ）にラインを結び、キャスティングして着水させます。リールを用いてライン（Ｌ）をリーリングすると、リップ部（６）に当った水流は、左右後方に逃げるように流れ、ルアー本体（１）のリップ部（６）上に設けられたアイ（５ａ）を軸として、テール部（４）が、尻尾を振るように左右に大きく揺動してウォブリングアクションを起こします。
【００２０】  ルアー本体（１）は、重心を偏倚させているリップ部（６）を常に下とした状態を保とうとする為に、リーリングを速めたり、流速が増えたりしても、左右に揺動するルアー本体（１）は回転してしまうことはなく、回転寸前でアクションは復元され、図４に示すように、最大限のウォブリングアクションを実現します。
【００２１】  さらに、一般的なスプーンと呼ばれる金属製のルアーは、フック（Ｆ）を後方のテール部（７）の末端に配置しており、ルアー本体（１）が大きく揺動するほどにフック（Ｆ）は大きく暴れて、フッキング率が下がってしまうが、本発明であれば、ルアー本体（１）の揺動の中心軸となるアイ（５ａ）の後方にフック（Ｆ）を取り付けるアイ（５ｂ）を配置するので、ライン（Ｌ）の延長線上にフック（Ｆ）が存在するので、どれほどルアー本体（１）が大きな揺動をしてもフック（Ｆ）が大きく暴れることはなく、安定したフッキングを実現します。
【００２２】  また、図５に示すように、スプリットリング（４ｂ）の代わりに、ヨレを軽減する為の接続金具であるスイベル（９）を用いて、ルアー本体（１）のアイ（５ａ）とフック（Ｌ）を繋ぐことにより、さらにフック（Ｆ）の動きは軽減され、フック（Ｆ）の位置が後方へと移動することにより、大きくテール部（７）が傾斜してもフッキングを邪魔せず、高いヒット率を実現します。
【符号の説明】
【００２３】    １ルアー本体、２凸面、３凹面、４（ａ〜ｂ）スプリットリング、５（ａ〜ｂ）アイ    ６リップ部、７テール部、８屈曲部、９スイベル、Ｌライン、Ｆフック
【図１】
2016150004.tif 000003
【図２】
2016150004.tif 000004
【図３】
2016150004.tif 000005
【図４】
2016150004.tif 000006
【図５】
2016150004.tif 000007